(57)【要約】【課題】給紙手段のサイドフェンスの対向内面側が用紙端と当接することで送り出しの阻害を解除して、用紙のセットミスによる給紙ジャムの発生を防止する。【解決手段】手差し給紙台２２上に、用紙幅方向に移動可能なサイドフェンス１００、１０９を設ける。サイドフェンス１０９は、サイドフェンス用紙ガイド１０６に沿って移動可能で、サイドフェンス１０９と連動する。先端部のストッパー部材１０３はサイドフェンス突起部材１０７と連結し、サイドフェンス突起部材１０７の動作により動作できる。サイドフェンス突起部材１０７がサイドフェンス１００よりも出ている場合は、ストッパー部材１０３がセットされた用紙の搬送を妨げる。サイドフェンス１００を用紙に押し当てると、サイドフェンス突起部材１０７が用紙の端部に押されて移動し、連結部材１１０も移動し、ストッパー部材１０３が回転動作を行い、用紙送り出しの阻害が解除される。【選択図】図７
2017013916.tif 000002
【特許請求の範囲】
【請求項１】
用紙を給紙する手差し給紙手段と、
前記給紙手段から給紙された用紙を搬送するための用紙搬送手段と、
を備えた画像形成装置において、
前記給紙手段は、前記用紙の幅方向に移動可能な一対のサイドフェンスを有し、
該サイドフェンスは、
前記給紙手段にセットされた用紙の送り出しを阻害するためのストッパー部材と、
該サイドフェンスの対向内面側に設けられて前記用紙の端部と当接することで移動する突起部材と、
を有し、
前記ストッパー部材は、前記突起部材の移動に連動して前記用紙の送り出しの阻害を解除する、
ことを特徴とする画像形成装置。
【請求項２】
請求項１に記載の画像形成装置において、
前記ストッパー部材は、前記サイドフェンスの先端部に開閉可能に設けられて前記給紙手段に１組配されている、
ことを特徴とする画像形成装置。
【請求項３】
請求項２に記載の画像形成装置において、
前記ストッパー部材は、前記給紙手段が備える給紙コロよりも用紙の搬送方向で手前に配される、
ことを特徴とする画像形成装置。
【請求項４】
請求項１に記載の画像形成装置において、
前記給紙手段の給紙台には、該給紙台の上にセットされた前記用紙の送り出し方向の先端位置に、前記用紙の送り出しを阻害するためのストッパー部材が、用紙端と平行に前記給紙台の表面から上方向に突出した状態に設けられており、
前記サイドフェンスに設けられた前記突起部材の移動に連動して、前記ストッパー部材が前記給紙台の表面に向かって沈み込むようになっている、
ことを特徴とする画像形成装置。
【請求項５】
請求項４に記載の画像形成装置において、
前記給紙台上に前記用紙の搬送の有無を検知する検知手段を配し、
前記ストッパー部材は、前記検知手段よりも前記用紙の搬送方向で手前に配した、
ことを特徴とする画像形成装置。
【請求項６】
請求項４または請求項５に記載の画像形成装置において、
前記ストッパー部材は、画像形成可能な全ての幅の前記用紙の搬送を停止させ得る、
ことを特徴とする画像形成装置。
【発明の詳細な説明】
【技術分野】
【０００１】
本発明は、画像形成装置に関し、詳細には画像形成装置の給紙台における用紙セットに係るものである。
【背景技術】
【０００２】
サイドフェンスの先端部に開閉可能なストップ部材を設け、フェンス内面を用紙端に当てることでストップ部材を解除できるようにするに関し、従来公知の技術として下記がある。
（１）特許文献１には、手差し給紙による用紙のスキューや横ずれの発生の可能性を少なくできる手差し給紙装置を提供する技術が開示されている。具体的には、手差し給紙台上に、用紙の給紙方向に沿ってガイド溝を設け、このガイド溝に、用紙の給紙方向に対して直角方向に移動可能に幅ガイド板を取り付ける。そして、幅ガイド板の先端部分に、積載される用紙端部の当接を検知するセンサを設ける。画像形成動作開始信号により画像形成動作が開始されたときに手差し給紙が選択されていなければ、所定の画像形成動作を開始する。しかし、手差し給紙台が開放され手差し給紙が選択されているときには、幅ガイド板と用紙端部の当接がきちんとなされているかどうかをセンサからの信号により判定する。その結果、幅ガイド板と用紙端部が当接状態にないときには画像形成動作を停止し、当接状態が不適切であることを表示する。積載される用紙端部の当接を検知するセンサを採用している。
（２）特許文献２には、記録ヘッドの主走査方向に対して垂直方向である副走査方向に記録媒体を規制されていないセット状態での給紙を抑止でき、印字時にスキューやジャムの発生を防ぐことができる技術が開示されている。具体的には、記録ヘッドの主走査方向に対して垂直な方向である副走査方向に記録媒体を挟持して規制するサイドフェンスを有する手差し給紙トレイを含んで画像形成装置を構成する。そして、記録媒体の副走査方向側の端部がサイドフェンスに当接しているか否かを検知する記録媒体検知手段をサイドフェンスに設けている。記録媒体がサイドフェンスに当接しているか否かを検知する記録媒体検知手段をサイドフェンスに採用している。
（３）特許文献３には、用紙の移送終了後にエンドフェンスが適正な位置にあるか否かを検出し、給紙不良を防止することのできる給紙装置を提供する技術が開示されている。具体的には、エンドフェンスの開閉に連動して動くラックに突出部を設ける。各突出部の近傍にホーム位置検知センサ及び閉検知センサを設置する。エンドフェンスの開閉に伴い、両センサの出力状態からエンドフェンスの開または閉を検知する。そして、エンドフェンスが閉まって用紙の後端を押えたことを検知したら、用紙の給送を開始する。各突出部の近傍にホーム位置検知センサ及び閉検知センサを採用している。また、エンドフェンスが閉まって用紙の後端を押えたことを検知したら、用紙の給送を開始するエンドフェンスを採用している。
【発明の概要】
【発明が解決しようとする課題】
【０００３】
上述のように、特許文献１に係る技術では、積載される用紙端部の当接を検知するセンサが必要であった。また特許文献２に係る技術では、サイドフェンスに当接しているか否かを検知する記録媒体検知手段をサイドフェンスに採用が必要であった。さらに特許文献３に係る技術では、各突出部の近傍にホーム位置検知センサ及び閉検知センサが必要であり、エンドフェンスが閉まって用紙の後端を押えたことを検知したら、用紙の給送を開始することが必要であった。
【０００４】
そこで本発明は、上述した従来の諸問題点に鑑みてなしたもので、給紙手段のサイドフェンスの対向内面側が用紙端と当接することで送り出しの阻害を解除することによって、用紙のセットミスによる給紙ジャムの発生を防止できる画像形成装置を提供することを目的とする。
【課題を解決するための手段】
【０００５】
本発明の画像形成装置は、用紙を給紙する手差し給紙手段と、前記給紙手段から給紙された用紙を搬送するための用紙搬送手段と、を備えた画像形成装置において、前記給紙手段は、前記用紙の幅方向に移動可能な一対のサイドフェンスを有し、該サイドフェンスは、前記給紙手段にセットされた用紙の送り出しを阻害するためのストッパー部材と、該サイドフェンスの対向内面側に設けられて前記用紙の端部と当接することで移動する突起部材と、を有し、前記ストッパー部材は、前記突起部材の移動に連動して前記用紙の送り出しの阻害を解除する、ことを特徴とする。
【発明の効果】
【０００６】
本発明によれば、ホーム位置検知センサや、閉検知センサ、エンドフェンス等を用いることなく、給紙手段のサイドフェンスの対向内面側が用紙端と当接することで送り出しの阻害を解除することによって、用紙のセットミスによる給紙ジャムの発生を防止できる。
【図面の簡単な説明】
【０００７】
【図１】本発明の実施対象となる画像形成装置の一例の全体概要図を示す概念図である。
【図２】図１の紙面右側部分を上方から見た概略平面図である。
【図３】図１において両面搬送ガイドユニットと転写ローラユニットを開いた状態を模式的に表している概念図である。
【図４】図１の紙面右側部分にある手差し台を上方から見た状態（最大に開いた状態）の概略平面図である。
【図５】図１の右側部分にある手差し台を上方から見た状態（最小に閉じた状態）の概略平面図である。
【図６】図５の紙面右側部分にある手差し台を中央から透視した概略図である。
【図７】図４で説明した、サイドフェンス突起部材とストッパー部材が動作する状態を示す概略図である。
【図８】ストッパー部材を、用紙有無検知センサより用紙の搬送方向で手前側に配置し、最大に開いた状態とした手差し台の概略平面図である。
【図９】ストッパー部材を、用紙有無検知センサより用紙の搬送方向で手前側に配置した手差し台の概略平面図である。
【図１０】ストッパー部材により用紙搬送ができない状態（ａ）と、用紙搬送が可能な状態（ｂ）の断面図である。
【図１１】サイドフェンス突起部材の動作によりストッパー部材が動作する状態を示す断面図である。
【図１２】図１１（ｃ）、（ｄ）の用紙セット状態のサイドフェンス突起部材とストッパー部材の動作後を示した平面図（ａ）と、図１１（ｃ）、（ｄ）の用紙セット状態のサイドフェンス突起部材とストッパー部材の動作前を示した平面図（ｂ）である。
【発明を実施するための形態】
【０００８】
以下に本発明を図面を参照して説明する。
本発明は、ホーム位置検知センサ、閉検知センサや、エンドフェンスを用いることなく、積載される用紙端部の当接によってストップ部材を解除できるようにするものである。また、給紙手段のサイドフェンスの対向内面側が用紙端と当接することで送り出しの阻害を解除し、それによって用紙のセットミスによる給紙ジャムの発生を防止する。
【０００９】
図１は、本発明の実施対象となる画像形成装置の一例の全体概要図を示す。図示の画像形成装置は、卓上型のコンパクトな複写機としてのもので、プリンターとしても用い得るが、以下の説明では複写機として説明する。図中１は画像形成部（以下、プリンター１と記載）で、上部に原稿読取装置２を有し、その上には原稿押さえ圧板３を有する。最下部にはフロント方向（図では紙面右側方向）に引き出し可能な給紙トレイ４を有する。この給紙トレイ４に収納、積載された用紙５は、先端側（図では紙面右側）を可動底板６によって押し上げられ、回転駆動される給紙コロ７によって右上方向に向けて搬送力を付与される。そして、用紙５はフリクションパッド８によって１枚ずつに分離され、分離された１枚の用紙は、対向配置されて回転駆動されるレジストローラ９と１０によりタイミングを合わせられ、上方の画像形成部に縦搬送される。
【００１０】
図中１１は感光体ドラムであり、回転しながら書き込みユニット１２から照射されたレーザー光により静電潜像をその表面に書きこまれる。感光体ドラム１１と転写ローラー１３によって、図で用紙の左側の表面にトナーによる画像が形成される。１４はトナーを供給するためのトナーボトルである。トナーによって画像が形成された用紙は、その上方にあって熱定着ローラー１５、１６の対を備えてなる定着ユニット１７でトナー画像の定着が行われる。次に、用紙は回転する排出コロ１８、１９によって、原稿読取装置２の下部に設けられた空間すなわち排紙収納部の排紙受け台２０に向けて排出され、排紙受け台２１上に画像面が下向きになって排出、積載される。図中に実線の矢印で示す経路がこの際の用紙の搬送経路である。
【００１１】
図示の複写機は、もう一つの給紙部を有する。これは、手差し給紙部と称されるものである。図の右方向に回動して開かれた手差し給紙台２２上にセットされた用紙２３が、上下方向に揺動可能な呼び出しコロ２４の回転によって図の紙面左方向に送り出され、レジストローラ９、１０に案内されるようになっている。その先の工程は、給紙トレイからの場合と同様である。
【００１２】
＜両面プリントモード＞
次に、図１に示す複写機での両面印刷の場合の搬送経路と動作について説明する。
上述のように片面に画像が形成された用紙は、排出コロ１８、１９に挟み持たれた状態でその前半部を排紙受け台２０に排出される。用紙の後端が反転経路切り替え爪２６の先端を過ぎたポイントで一旦搬送は停止する。この場合、反転経路切り替え爪２６の先端を越えた用紙の後端は、用紙の紙剛性によって跳ね上がり、反転経路切り替え爪２６の先端よりも高い位置に移動する。
【００１３】
ここで排出コロ１８、１９を互いに逆転させると、用紙は図の点線で示す矢印のように反転経路切り替え爪２６の上端を通り、図示しないガイド部材によって下向きに案内され両面搬送コロ２７と２８により、さらに下方に向けて搬送される。そして用紙は、図示しない案内部材によって図の点線の矢印で示すように湾曲搬送され、再びレジストローラ９、１０の間に導かれる。こうして先ほどとは逆の用紙面に画像が形成されることで、両面印刷が可能になる。両面プリントされた用紙は、排紙受け台２０上に排出される。
【００１４】
図中２９は、図の紙面左側の手前部にのみ設けられた柱体であり、原稿読取装置２を保持する役割を果たしている。排紙受け台２０上に排出されたプリント済の用紙は、通常はフロント方向（図の紙面手前側）から取り出し操作が行われ、それが無理な場合には図の紙面左側の側面から取り出せるようになっている。
【００１５】
＜ジャム処理操作＞
次に図２、図３を参照してジャム処理操作のための右カバーの開閉部について説明する。
図２は、図１の紙面右側部分を上方から見た概略平面図である。画像形成部１の装置本体に保持されて鉛直方向に設けられた１本の軸３０の周りに回転動作可能に二つのユニットが設けられている。これはジャム処理を容易にするためである。一つは、外装カバーと一体になって両面搬送コロ２８を保持している両面搬送ガイドユニット３１である。もう一つはその内側にあって転写ローラー１３とレジストローラ１０と両面搬送コロ２７を保持している用紙搬送手段を構成する転写ローラユニット３２である。図２において点線で示してあるのは、両面搬送ガイドユニット３１と転写ローラユニット３２を軸３０を回転中心にして開いた状態を示している。
【００１６】
図示しないロック機構を解除することにより、図示しないスプリング力によって両面搬送ガイドユニット３１と転写ローラユニット３２は若干開き回転動作し、その状態からさらに手動操作で大きく開いてジャム処理ができるまで開くようになっている。
図３は、図１において両面搬送ガイドユニット３１と転写ローラユニット３２を開いた状態を模式的に表している。レジストローラから縦搬送部のジャムについては転写ローラユニット３２を開くことで対処可能になり、両面搬送部のジャムについては両面搬送ガイドユニット３１を開くことで対処可能になる。
【００１７】
＜手差し台用紙セット操作＞
次に手差し給紙台２２の用紙をセットする動作を説明する。
図４は、図１の紙面右側部分にある手差し給紙台２２を上方から見た概略平面図である。この手差し給紙台２２上には、溝状のサイドフェンス用紙ガイド１０５に沿って左右に（用紙幅方向に）移動可能なサイドフェンス１００と一対のサイドフェンス１０９が設けてある。サイドフェンス１０９は、サイドフェンス用紙ガイド１０６に沿って左右に移動可能で、サイドフェンス１００、１０９は、連動して動作する。図４は、最大に開いた状態であり、最大用紙幅で使用する場合を示している。サイドフェンス１００、１０９の中央には、用紙有無を検知することができる用紙有無検知センサ１２０が設けてある。そしてサイドフェンス１００には、先端部にストッパー部材１０３、サイドフェンス用紙ガイド１０１とサイドフェンス突起部材１０７が配置されている。
【００１８】
ストッパー部材１０３は、サイドフェンス突起部材１０７と連結されており、サイドフェンス突起部材１０７の動作によりストッパー部材１０３も動作できるようになっている。サイドフェンス用紙ガイド１０１は、手差し給紙台２２上のセットできる用紙の高さがわかるようになっているが、必ずしも本実施形態の構成に必要なものではない。
【００１９】
図５は、図１の右側部分にある手差し給紙台２２を上方から見た概略平面図である。図示の状態は最小に閉じた状態であり、最小用紙幅で使用する場合を示している。図６は、図５の紙面右側部分にある手差し給紙台２２を中央から透視した概略図である。図６では、サイドフェンス１００の構成がわかるように図示している。さらに、図７は、図４で説明した、サイドフェンス突起部材１０７とストッパー部材１０３が動作する状態を示す概略図である。図７（ｂ）では、ストッパー部材１０３がサイドフェンス突起部材１０７と連結部材１１０で連結されていて、サイドフェンス突起部材１０７の動作により、ストッパー部材１０３が動作できるようになっている。サイドフェンス突起部材１０７がサイドフェンス１００よりも出ている場合には、ストッパー部材１０３は第８図のようになっていて、サイドフェンス１００、１０９間にセットした用紙の搬送を妨げている。サイドフェンス突起部材１０８についても同様にストッパー部材１０４を動作させることができる。
【００２０】
手差し給紙台２２に載せた用紙１１３の幅に合わせてサイドフェンス１００をスライド溝であるサイドフェンス用紙ガイド１０５に沿って移動させてサイドフェンス１００を用紙１１３に押し当てると、サイドフェンス突起部材１０７が用紙１１３端部に押される。これにより、図７の様に移動すると、連結部材１１０も移動する。連結部材１１０の移動により、連結部材１１０に連結されているストッパー部材１０３が回転する動作を行う。この動作によりストッパー部材１０３は、図７（ｂ）に示すように用紙送り出しの阻害している状態から、図７（ａ）に示すように、用紙送り出しの阻害を解除する状態に変化する。
【００２１】
図８、図９は、開閉可能なストッパー部材１０３を、用紙有無検知センサ１２０より用紙の搬送方向で手前側に配置した手差し給紙台２２の概略平面図である。手差し給紙台２２上には、サイドフェンス用紙ガイド１０５に沿って左右に移動可能なサイドフェンス１００と一対のサイドフェンス１０９が設けてある。サイドフェンス１０９は、サイドフェンス用紙ガイド１０６に沿って左右に移動可能で、サイドフェンス１００、１０９は、連動して動作する。連動して動作することにより、片方のサイドフェンス１００、１０９を動作させて用紙１１３を挟み込むと用紙１１３は手差し給紙台２２上の中央にセットすることができる。
【００２２】
図８は、サイドフェンス１００、１０９を最大用紙幅で使用する場合に最大に開いた状態である。サイドフェンス１００、１０９の中央には、用紙有無を検知することができる用紙有無検知センサ１２０が配してある。サイドフェンス１００には、先端部にストッパー部材１１１、サイドフェンス用紙ガイド１０１とサイドフェンス突起部材１０７が配置されている。ストッパー部材１１１は、サイドフェンス突起部材１０７と連結されており、サイドフェンス突起部材１０７の動作により、ストッパー部材１１１が動作できるようになっている。またサイドフェンス１０９には、先端部にストッパー部材１１２、サイドフェンス用紙ガイド１０２とサイドフェンス突起部材１０８が配されている。先端部のストッパー部材１１２は、サイドフェンス突起部材１０８と連結されていて、サイドフェンス突起部材１０８の動作により、ストッパー部材１１２が動作できるようになっている。
【００２３】
図１０（ａ）は、ストッパー部材１１１により用紙搬送ができない状態の断面図である。この図では、手差し給紙台２２上に用紙１１３がない場合には、ストッパー部材１１１がストッパー退避溝１１９より上にあるため、用紙搬送ができない状態になっている。同様にストッパー部材１１２がストッパー退避溝１１９より上にある為、用紙搬送ができない状態になっている。図１０（ｂ）は、ストッパー部材１１１により用紙搬送が可能な状態の断面図である。この図では、手差し給紙台２２上には、ストッパー部材１１１が退避するストッパー退避溝１１９があり、ストッパー解除時に退避溝に入ることにより、用紙搬送が可能となる。同様にストッパー部材１１２が退避するストッパー退避溝１１９があり、ストッパー解除時に退避溝に入ることにより、用紙搬送が可能となる。
【００２４】
図１１（ａ）、（ｂ）は、サイドフェンス突起部材１０７の動作によりストッパー部材１１１が動作する状態を示す断面図である。サイドフェンス突起部材１０７が用紙１１３の端部に押されることにより回転する。回転によりサイドフェンス突起部材１０７とストッパー部材１１１の接している面の高さが変わることによってストッパー部材１１１が動作することにより、ストッパー部材１１１がストッパー退避溝１１９に入ることにより用紙搬送が可能となる。図１１（ｃ）、（ｄ）は、図１１（ａ）、（ｂ）を動作前後で示した断面図である。
【００２５】
図１２（ａ）は、図１１（ｃ）、（ｄ）の用紙セット状態のサイドフェンス突起部材１０７とストッパー部材１１１の動作後を示した平面図である。図１２（ｂ）は、図１１（ｃ）、（ｄ）の用紙セット状態のサイドフェンス突起部材１０７とストッパー部材１１１の動作前を示した平面図である。サイドフェンス１００、１０９の中央には、用紙有無を検知することができる用紙有無検知センサ１２０が位置している。そのため用紙が検知されることはなく、用紙が正常にセットされないと印刷が開始できない。なお、検知できなくてもストッパーにより用紙は搬送できない。
【００２６】
図示のように、プリンター１の手差し給紙台２２に用紙搬送と直交方向に移動可能な一対のサイドフェンス１００、１０９がある。また、サイドフェンス１００にはセットされた用紙の送り出しを阻害するためのストッパー部材１０３があり、サイドフェンスの対向内面側に設けられて用紙端と当接することで移動するサイドフェンス突起部材１０７がある。そして、ストッパー部材１０３は、サイドフェンス突起部材１０７の移動に連動して動作することによって、用紙搬送の送り出しの阻害を解除する。
【００２７】
また、プリンター１の手差し給紙台２２に用紙搬送と直交方向に移動可能な一対のサイドフェンス１００、１０９があり、サイドフェンス１００、１０９にはセットされた用紙の送り出しを阻害するためのストッパー部材１０３、１０４がある。サイドフェンスの対向内面側に設けられて用紙端と当接することで移動するサイドフェンス突起部材１０７、１０８があり、ストッパー部材１０３、１０４は、サイドフェンス突起部材１０７、１０８の移動に連動して動作するサイドフェンスが給紙台に１組配置することによって、用紙搬送の送り出しの阻害を解除する。
【００２８】
さらに、プリンター１の手差し給紙台２２のサイドフェンス１００、０９にあるストッパー部材１０３、１０４は、給紙コロ２５より用紙の搬送方向で手前に配置することによって、用紙搬送の送り出しの阻害を解除する。また、プリンター１の手差し給紙台２２には、セットされた用紙の送り出し方向先端位置に、用紙端と平行に給紙台表面から上方向に突出した状態に、用紙送り出しを阻害するためのストッパー部材１１１、１１２が設けられている。そして、サイドフェンス１００、１０９に設けられたサイドフェンス突起部材１０７、１０８の移動に連動して、ストッパー部材１１１、１１２が給紙台表面に沈み込むようになっている。
【００２９】
またさらに、手差し給紙台２２のサイドフェンス１００、１０９にあるストッパー部材１１１、１１２は、手差し給紙台２２の用紙有無検知センサ１２０より用紙の搬送方向で手前側に配置することによって、用紙搬送の送り出しの阻害を解除するようになっている。またストッパー部材１１１、１１２は、手差し給紙台２２にセットできる用紙幅全体の用紙搬送の送り出しの阻害を解除するようになっている。
【００３０】
すなわち、サイドフェンス１００、１０９に配置したストッパー部材１１１、１１２により用紙搬送の送り出しの阻害することができ、ストッパー部材１１１、１１２がサイドフェンス突起部材１０７、１０８の移動に連動して動作することにより、用紙搬送の送り出しの阻害を解除することによって、用紙のセットミスによる給紙ジャムの発生を防止できる。
【００３１】
また先端部に開閉可能なストッパー部材１１１、１１２を設けたサイドフェンス１００、１０９が手差し給紙台２２に１組配置されることによって、用紙のセットミスによる給紙ジャムの発生を防止できる。さらに、手差し給紙台２２のサイドフェンス１００、１０９に配置したストッパー部材１１１、１１２を、給紙コロより用紙搬送方向で手前に配置することによって、用紙搬送の送り出しの阻害し、それによって用紙のセットミスによる給紙ジャムの発生を防止できる。
【００３２】
さらに、サイドフェンスに設けられたサイドフェンス突起部材１０７、１０８の移動に連動して、ストッパー部材１１１、１１２が給紙台表面に沈み込むようになっていることによって、用紙のセットミスによる給紙ジャムの発生を防止できる。
【００３３】
またさらに、開閉可能なストッパー部材１１１、１１２を、用紙搬送方向の用紙有無検知センサ１２０よりも用紙の搬送方向で手前に配置することによって、用紙搬送の送り出しの阻害を確実にすることによって、用紙のセットミスによる給紙ジャムの発生を防止できる。
【００３４】
また、ストッパー部材１１１、１１２が手差し給紙台２２にセットできる用紙幅全体で用紙搬送の送り出しを阻害できるように配置することによって、用紙の送り出しの阻害を確実にすることができる。それによって、用紙のセットミスによる給紙ジャムの発生を防止できる。なお、開閉可能なストッパー部材１１１、１１２は、印刷可能な全ての用紙幅で用紙を停止させることにより、用紙のセットミスによる給紙ジャムの発生を防止できる。
【００３５】
本発明は以上説明した実施形態に限定されるものではなく、多くの変形が本発明の技術的思想内で当分野において通常の知識を有する者により可能である。
【符号の説明】
【００３６】
１：プリンター
２：原稿読取装置
３：原稿押さえ圧板
４：引き出し可能な給紙トレイ
５：用紙
６：可動底板
７：給紙コロ
８：フリクションパッド
９、１０：レジストローラ
１１：感光体ドラム
１２：書き込みユニット
１３：転写ローラー
１４：トナーボトル
１５、１６：熱定着ローラー
１７：定着ユニット
１８、１９：排出コロ
２０：排紙収納部
２１：排紙受け台
２２：手差しトレイ
２３：用紙
２４：呼び出しコロ
２５：給紙コロ
２６：反転経路切り替え爪
２７、２８：両面搬送コロ
２９：柱体
３０：軸
３１：両面搬送ガイドユニット
３２：転写ローラユニット
３３：反転経路切り替ええ爪部材
３４：反転積載トレイ
３５、３６：排出コロ
３７：下面給紙コロ
３８：分離コロ
３９：フリクションパッド
４０：案内板
１００：サイドフェンス
１０１：サイドフェンス用紙ガイド
１０２：サイドフェンス用紙ガイド
１０３、１０４：ストッパー部材
１０５、１０６：スライド溝
１０７、１０８：サイドフェンス突起部材
１０９：サイドフェンス
１１０：連結部材
１１１、１１２：ストッパー部材
１１３：用紙
１１９：ストッパー退避溝
１２０：用紙有無検知センサ
【先行技術文献】
【特許文献】
【００３７】
【特許文献１】特開平１１−２９２３４７号公報
【特許文献２】特開２００７−０７６８０８号公報
【特許文献３】特開平０９−０７７２７４号公報
【図１】
2017013916.tif 000003
【図２】
2017013916.tif 000004
【図３】
2017013916.tif 000005
【図４】
2017013916.tif 000006
【図５】
2017013916.tif 000007
【図６】
2017013916.tif 000008
【図７】
2017013916.tif 000009
【図８】
2017013916.tif 000010
【図９】
2017013916.tif 000011
【図１０】
2017013916.tif 000012
【図１１】
2017013916.tif 000013
【図１２】
2017013916.tif 000014